(57)【要約】  洗濯機（１００）であって、筐体脚（１５０）、ならびに、天面、正面、背面、左の側面および右の側面を有し、筐体脚（１５０）により自立する筐体（１０２）を備える、洗濯機（１００）は、筐体（１０２）内に収容される洗濯機本体（１４０）を備える。洗濯機本体（１４０）は、回転軸により回転可能に支持され、衣類等が収容される回転ドラム（１０５）と、回転ドラム（１５０）を収容する水槽（１０１）と、回転ドラム（１５０）を回転駆動する駆動装置（１１０）とを有する。洗濯機本体（１４０）は、水槽（１０１）の下部に配設される台枠（１０４）と、台枠（１０４）の下部に配設され、床と接触する台枠脚（１５１）と、水槽（１０１）と台枠（１０４）との間に配設され、水槽（１０１）を防振支持するサスペンション機構（１０３）とを有している。洗濯機本体（１４０）は、筐体（１０２）と接触せず、台枠脚（１５１）により、床に自立する。
2019138980.tif 000002
【特許請求の範囲】
【請求項１】
筐体脚、ならびに、天面、正面、背面、左の側面および右の側面を有し、前記筐体脚により自立する筐体と、
前記筐体内に収容される洗濯機本体とを備え、
前記洗濯機本体は、
回転軸により回転可能に支持され、衣類等が収容される回転ドラムと、
前記回転ドラムを収容する水槽と、
前記回転ドラムを回転駆動する駆動装置と、
前記水槽の下部に配設される台枠と、
前記台枠の下部に配設され、床と接触する台枠脚と、
前記水槽と前記台枠との間に配設され、前記水槽を防振支持するサスペンション機構とを有し、
前記洗濯機本体は、前記筐体と接触せず、前記床に自立するように構成された
洗濯機。
【請求項２】
前記筐体は、下部に筐体底板を有し、
前記筐体底板は、前記台枠脚が貫通する貫通孔を有し、
前記洗濯機本体は、前記貫通孔を貫通した前記台枠脚により、前記床に自立するように構成された
請求項１に記載の洗濯機。
【請求項３】
前記台枠脚は、下部に台枠脚部弾性体、上部に貫通孔嵌合部をそれぞれ有し、
前記貫通孔嵌合部は、前記台枠脚が前記貫通孔を通過するときに、前記台枠脚を前記貫通孔の径方向の所定位置に誘導するテーパー部を有する
請求項２に記載の洗濯機。
【請求項４】
前記貫通孔嵌合部は、上部に、前記床に対して垂直に形成された垂直面部を有する
請求項３に記載の洗濯機。
【請求項５】
前記筐体底板は、前記貫通孔の内周部を覆う貫通孔弾性体を有する
請求項２から請求項４までのいずれか１項に記載の洗濯機。
【請求項６】
前記洗濯機本体は、前記台枠の下部に、前記床と接触可能に配設されたキャスターを有する、
請求項１に記載の洗濯機。
【請求項７】
前記台枠は、前記キャスターを昇降させる第１の昇降装置を有する
請求項６に記載の洗濯機。
【請求項８】
前記台枠は、前記台枠脚を昇降させる第２の昇降装置を有する
請求項６または請求項７に記載の洗濯機。
【請求項９】
前記台枠脚は、前記キャスターが前記床に接触しているとき、前記床に接触しないように構成された
請求項６から請求項８までのいずれか１項に記載の洗濯機。
【請求項１０】
前記キャスターは、前記台枠脚が前記床に接触しているとき、前記筐体に接触しないように構成された
請求項６から請求項９までのいずれか１項に記載の洗濯機。
【請求項１１】
前記筐体は、前記筐体の正面部分が着脱可能に構成された
請求項６から請求項１０までのいずれか１項に記載の洗濯機。
【請求項１２】
前記筐体は、下部に筐体底板を有し、
前記筐体底板は、前記台枠脚が貫通する貫通孔を有し、
前記洗濯機本体は、前記貫通孔を貫通した前記台枠脚により、前記床に自立するように構成された
請求項６から請求項１１までのいずれか１項に記載の洗濯機。
【請求項１３】
前記筐体底板に、前記キャスターを、前記筐体底板上において、特定の軌道で移動可能とする溝が設けられた
請求項１２に記載の洗濯機。
【請求項１４】
前記筐体底板は、回動可能部を有し、
前記回動可能部は、回動により、設置床面から前記筐体底板上に向かって上り傾斜する傾斜面を形成する
請求項１２または請求項１３に記載の洗濯機。
【発明の詳細な説明】
【技術分野】
【０００１】
本開示は、水槽内に回転自在に配設された回転ドラム内で、衣類の洗い、すすぎ、および脱水を行う洗濯機に関する。
【背景技術】
【０００２】
従来の洗濯機は、洗濯機の筐体を支持する脚に、筐体の振動を低減する、弾性体およびダンパが設けられた構成であった（例えば、特許文献１参照）。【０００３】
図８は、従来の洗濯機を側方から見た要部断面図である。【０００４】
図８に示されるように、筐体３０を支持する脚４１に、筐体３０の振動を低減する第２の弾性体４１ｂと、筐体３０の振動エネルギーを減衰するダンパ４２とが設けられている。これにより、筐体３０の振動が減衰され、設置床に伝わりにくくなる。よって、筐体３０および設置床の、振動および騒音を小さくすることができる。【０００５】
しかしながら、従来の構成では、洗濯機の振動源である洗濯兼脱水槽３４を内包する外槽３３は、筐体３０と、防振装置（第１の弾性体３１およびダンパ３２）を介して連結されている。よって、防振装置で低減しきれない振動が、洗濯兼脱水槽３４から筐体３０に伝達して、筐体３０の振動および騒音、さらには、床面の振動を発生させやすい。
【先行技術文献】
【特許文献】
【０００６】
【特許文献１】特開２０１０−１６６９４１号公報
【発明の概要】
【０００７】
本開示は、回転ドラムから筐体への振動伝達を効果的に低減でき、特に、脱水運転時の定常時に発生する、筐体の振動を抑制することのできる洗濯機を提供するものである。
【０００８】
本開示の洗濯機は、筐体脚、ならびに、天面、正面、背面、左の側面および右の側面を有し、筐体脚により自立する筐体と、筐体内に収容される洗濯機本体とを備えている。洗濯機本体は、回転軸により回転可能に支持され、衣類等が収容される回転ドラムと、回転ドラムを収容する水槽と、回転ドラムを回転駆動する駆動装置と、水槽の下部に配設される台枠とを有している。洗濯機本体は、さらに、台枠の下部に配設され、床と接触する台枠脚と、水槽と台枠との間に配設され、水槽を防振支持するサスペンション機構とを有している。洗濯機本体は、筐体と接触せず、床に自立するように構成されている。
【０００９】
本開示の洗濯機は、自立する筐体内に、筐体とは独立して自立する洗濯機本体が配設されている。これにより、洗濯機本体と筐体との間の振動絶縁がなされる。
【００１０】
よって、水槽から筐体に、サスペンション機構を介して、直接、振動が伝達することを防止し、脱水運転中の筐体の振動および騒音、ならびに、床面の振動を効果的に抑制することができる。
【図面の簡単な説明】
【００１１】
【図１】図１は、本開示の第１の実施の形態における洗濯機を側方から見た要部断面図である。
【図２】図２は、本開示の第１の実施の形態における洗濯機の筐体底板の平面図である。
【図３】図３は、本開示の第１の実施の形態における洗濯機の、台枠と筐体底板との関係を示す要部断面図である。
【図４】図４は、本開示の第２の実施の形態における洗濯機を側方から見た要部断面図である。
【図５】図５は、本開示の第２の実施の形態における洗濯機の、筐体収容前の洗濯機本体を側方から見た要部断面図である。
【図６】図６は、本開示の第２の実施の形態における洗濯機の、筐体底板の平面図である。
【図７】図７は、本開示の第２の実施の形態における洗濯機の台枠と筐体底板との関係を示す要部断面図である。
【図８】図８は、従来の洗濯機を側方から見た要部断面図である。
【発明を実施するための形態】
【００１２】
（本開示の実施の態様の一例）
本開示の態様の一例は、洗濯機であって、筐体脚、天面、正面、背面、左の側面および右の側面を有し、筐体脚により自立する筐体と、筐体内に収容される洗濯機本体とを備えている。洗濯機本体は、回転軸により回転可能に支持され、衣類等が収容される回転ドラムと、回転ドラムを収容する水槽と、回転ドラムを回転駆動する駆動装置と、水槽の下部に配設される台枠とを有している。洗濯機本体は、台枠の下部に配設され、床と接触する台枠脚と、水槽と台枠との間に配設され、水槽を防振支持するサスペンション機構とを有している。洗濯機本体は、筐体と直接接触せず、床に自立するように構成されている。
【００１３】
これにより、洗濯機本体と筐体とがそれぞれ独立して自立することにより、洗濯機本体と筐体との間の振動絶縁がなされる。このため、洗濯機本体から筐体および床面への振動伝達が低減され、脱水運転時の筐体の振動および騒音ならびに床面の振動を、効果的に低減できる。
【００１４】
本開示の他の態様は、さらに、筐体が、下部に筐体底板を有し、筐体底板は、台枠脚が貫通する貫通孔を有し、洗濯機本体は、貫通孔を貫通した台枠脚により、床に自立するように構成されたものである。
【００１５】
これにより、さらに、筐体底面の強度確保ができ、筐体の重心を低くすることができ、筐体の振動を、より効果的に抑制できる。また、筐体底板に、台枠脚が貫通できる貫通孔を設けたことにより、筐体底板を有していても、洗濯機本体は、筐体内で筐体に接触せずに床面に自立し、洗濯機本体と筐体との間の振動絶縁がなされる。また、作業者が筐体を持ち上げたときに、筐体と洗濯機本体とを一体で持ち上げることができ、洗濯機の運搬および設置を、従来と同じ作業で、容易に行うことができる。
【００１６】
本開示の他の態様は、さらに、台枠脚は、下部に台枠脚部弾性体、上部に貫通孔嵌合部をそれぞれ有する。貫通孔嵌合部は、台枠脚が貫通孔を通過するときに、台枠脚を貫通孔の径方向の所定位置に誘導するテーパー部を有する。
【００１７】
これにより、さらに、作業者が筐体を持ち上げたときに、筐体と洗濯機本体とを一体で持ち上げることが可能となる。また、貫通孔嵌合部のテーパー部により、筐体に対して洗濯機本体が所定位置に誘導されて持ち上げられる。これにより、運搬時において、筐体と洗濯機本体との相対位置が維持され、その後の設置作業において、洗濯機全体として適正な状態で設置することができる。
【００１８】
本開示の他の態様は、さらに、貫通孔嵌合部は、その上部に、床に対して垂直に形成された垂直面部を有する。
【００１９】
これにより、さらに、筐体と洗濯機本体とを一体で持ち上げている状態から、設置のため、床面に洗濯機を降ろすとき、貫通孔嵌合部の垂直面部が、筐体の移動を鉛直下方に誘導する。よって、洗濯機設置時に、筐体に対する洗濯機本体の横ずれ設置を防止し、洗濯機全体を、適正な状態で設置することができる。
【００２０】
本開示の他の態様は、さらに、筐体底板は、貫通孔の内周部を覆う貫通孔弾性体を有する。
【００２１】
これにより、さらに、運搬および振動による位置ずれにより、洗濯機本体が筐体に接触しても、洗濯機の異常振動および騒音を軽減することができる。
【００２２】
本開示の他の態様は、さらに、洗濯機本体は、台枠の下部に、床と接触可能に配設されたキャスターを有している。
【００２３】
これにより、さらに、洗濯機本体と筐体とがそれぞれ自立することにより、洗濯機本体と筐体との間の振動絶縁がなされる。また、洗濯機本体の台枠下方にキャスターを備えることで、洗濯機本体の移動が容易になり、狭所において、洗濯機本体を、筐体内に、正面からスライドさせて出し入れできる。よって、洗濯機の設置性および修理メンテナンス性を向上させることができる。
【００２４】
本開示の他の態様は、さらに、台枠は、キャスターを昇降させる第１の昇降装置を有している。
【００２５】
これにより、さらに、台枠脚とキャスターとの相対高さを変化させ、状況に応じて、台枠脚またはキャスターを床面と接触させるように、台枠脚部構造を切り替えることができる。よって、洗濯機本体を移動可能な状態に容易に変化させることができる。
【００２６】
本開示の他の態様は、さらに、台枠は、台枠脚を昇降させる第２の昇降装置を有している。
【００２７】
これにより、台枠脚とキャスターとの相対高さを変化させ、状況に応じて、台枠脚またはキャスターを床面と接触させるように、台枠脚部構造を切り替えることができ、洗濯機本体を移動可能な状態に容易に変化させることができる。また、台枠脚の昇降により、洗濯機の設置時に、洗濯機の、高さ調節および水平度の調節ができ、設置性を改善できる。
【００２８】
本開示の他の態様は、さらに、台枠脚は、キャスターが床に接触しているとき、床に接触しないように構成されている。
【００２９】
これにより、さらに、設置および修理メンテナンス時に、洗濯機本体を筐体に出し入れする際に、キャスターにより、洗濯機本体を水平方向に自由に移動させることができる。
【００３０】
本開示の他の態様は、さらに、キャスターは、台枠脚が床に接触しているとき、筐体に接触しないように構成されている。
【００３１】
これにより、さらに、洗濯機が所定の位置に設置され運転されるとき、キャスターを含む洗濯機本体と、筐体との間の振動絶縁がなされる。このため、洗濯機本体から、筐体および床面への振動伝達が低減され、脱水運転時の、筐体の振動および騒音ならびに床面の振動を、効果的に低減できる。
【００３２】
本開示の他の態様は、さらに、筐体は、筐体の正面部分が着脱可能に構成されている。
【００３３】
これにより、筐体の正面を開放できるので、筐体内に、洗濯機本体を、正面から押し入れるように搬入できる。よって、洗濯機の設置場所が狭所である場合、および、ビルトイン方式での設置が必要になった場合においても、容易に設置することができる。また、修理メンテナンスにおいても、筐体内から正面側に、洗濯機本体を引き出すことができ、広いスペースで、効率的かつ正確に修理メンテナンス作業を行うことができる。
【００３４】
本開示の他の態様は、さらに、筐体は、筐体の下部に筐体底板を有し、筐体底板は、台枠脚が貫通する貫通孔を有し、洗濯機本体は、貫通孔を貫通した台枠脚により、床に自立するように構成されている。
【００３５】
これにより、さらに、筐体の強度を向上させることができ、筐体の重心も低くすることができ、筐体の防振性能を向上させることができる。また、筐体が筐体底板を有していても、台枠脚が貫通孔を貫通した状態で洗濯機を設置できる。これによって、洗濯機本体は、台枠脚によって設置床面に自立しながら、筐体との振動絶縁を維持できる。このため、筐体の振動および騒音、ならびに、床面の振動を低減できる。
【００３６】
本開示の他の態様は、さらに、筐体底板に、キャスターを筐体底板上において特定の軌道で移動可能とする溝が設けられている。
【００３７】
これにより、さらに、筐体底板上で洗濯機本体を移動させる際に、筐体に対して、洗濯機本体を特定位置に移動させやすくなり、洗濯機本体の筐体に対する正確な位置決めができる。
【００３８】
本開示の他の態様は、さらに、筐体底板は、回動可能部を有し、回動可能部は、回動により、設置床面から筐体底板上に向かって上り傾斜する傾斜面を形成する。
【００３９】
これにより、さらに、洗濯機の設置および修理メンテナンスの必要に応じて、適宜、筐体底板にスロープ形状を形成することができる。これにより、筐体底板を有する筐体に対して、狭所においても、洗濯機本体を、持ち上げることなく筐体に対して出し入れすることができる。また、洗濯機の設置および修理メンテナンス後に、回動可能部の前方を、筐体底板とほぼ面一となる位置まで上方に回動させて固定すれば、設置後および修理メンテナンス後の、洗濯機の正面下方の美観を損なうことが無い。
【００４０】
以下、本開示の実施の形態について、図面を参照しながら説明する。なお、これらの実施の形態によって、本開示が限定されるものではない。
【００４１】
（第１の実施の形態）
図１は、本開示の第１の実施の形態における洗濯機１００を側方から見た要部断面図である。図２は、同洗濯機１００の筐体底板１０２ｃの平面図である。図３は、同洗濯機１００の、台枠１０４と筐体底板１０２ｃとの関係を示す要部断面図である。
【００４２】
まず、図１を参照して、本実施の形態の洗濯機１００の構成を説明する。
【００４３】
図１に示されるように、洗濯機１００は、水槽１０１を備えている。水槽１０１は、洗濯機の筐体１０２の内部で、複数（例えば、４本）のサスペンション機構１０３により、台枠１０４に弾性的に支持されている。
【００４４】
サスペンション機構１０３は、バネ等の弾性体と、ダンパ等の減衰器とによって構成されている。
【００４５】
筐体１０２は、筐体底板１０２ｃに設けられた、複数（例えば、４本）の筐体脚１５０によって、設置される床面に接地され、自立する。
【００４６】
台枠１０４は、台枠底部１０４ａに設けられた、複数（例えば、４本）の台枠脚１５１によって、設置される床面に接地され、自立する。
【００４７】
台枠１０４は、筐体底板１０２ｃとは分離され、筐体底板１０２ｃとは接触しない状態で、床面に接地可能である。
【００４８】
衣類が収容される回転ドラム１０５は、正面側に、衣類が出し入れされる回転ドラム開口部１０５ａを有している。回転ドラム１０５は、有底円筒状に構成され、同様に有底円筒状に構成された水槽１０１内に配設されている。回転ドラム１０５は、ドラム回転軸１１１を軸として回転可能に設けられている。
【００４９】
回転ドラム１０５の円筒状の周壁には、複数の排出孔１０８が設けられている。排出孔１０８は、回転ドラム１０５内と水槽１０１内とを連通させている。
【００５０】
回転ドラム１０５内の周壁には、衣類を効率的に持ち上げて落とすための攪拌バッフル１０９が、複数備えられている。
【００５１】
水槽１０１、回転ドラム１０５およびドラム回転軸１１１は、ほぼ水平に配置されている。
【００５２】
水槽１０１の外部の、筐体１０２内の後部下方側には、モータ等の駆動装置１１０が設けられている。ここで、図１のように洗濯機１００を側面視して、紙面において右方向を後方向と記載し、左方向を前方向と記載する。また、左右については、正面から洗濯機１００を見た場合の左右を示している。
【００５３】
駆動プーリ１１０ｂは、駆動装置１１０の回転駆動軸に装着されている。従動プーリ１１０ｃは、回転ドラム１０５のドラム回転軸１１１に装着されている。駆動プーリ１１０ｂと従動プーリ１１０ｃとの間にベルト１１０ａが架設されることによって、ベルト駆動機構が構成されている。
【００５４】
回転ドラム１０５は、駆動装置１１０の回転が、ベルト駆動機構によって伝達され、正逆回転する。その回転速度は、制御部（図示せず）からの信号により制御され、回転速度を変化させることができる。
【００５５】
バランサ装置（図示せず）は、回転ドラム１０５の回転ドラム開口部１０５ａに配設されている。このバランサ装置は、回転ドラム１０５内の衣類の偏在に起因する、回転ドラム１０５の回転時のアンバランスを自動的に補正する。
【００５６】
水槽１０１は、回転ドラム１０５の正面側の回転ドラム開口部１０５ａと対向する位置に、水槽開口部１０１ａを有している。水槽開口部１０１ａは、筐体１０２の前面に設けられた、衣類の出し入れされる、略円形状の衣類投入口１０７と対向するように設けられている。
【００５７】
扉１１２は、水槽開口部１０１ａを開閉可能に設けられている。扉１１２が閉じられたとき、水槽開口部１０１ａは、扉１１２およびパッキン（図示せず）によって、気密および水密を確保して閉じられる。
【００５８】
図１には図示されていないが、水槽１０１および回転ドラム１０５内に、給水ホースを通じて洗浄水を供給する給水装置が設けられている。
【００５９】
図１には図示されていないが、水槽１０１および回転ドラム１０５内から、排水ホースを通じて洗浄水を機外に排水する排水装置が設けられている。
【００６０】
操作表示部１１３は、筐体１０２の前面の上部に設けられている。操作表示部１１３には、使用者による操作によって、洗濯運転コースおよび各種の洗濯条件が入力される。操作表示部１１３は、入力された洗濯運転コース、各種の洗濯条件、および、洗濯運転の進行状況等を表示して、使用者に知らせる。
【００６１】
制御部は、操作表示部１１３から入力された情報に従って、洗い、すすぎ、および脱水の各工程を実行する。
【００６２】
なお、水槽１０１、回転ドラム１０５および駆動装置１１０等が、台枠１０４上に配設固定されたものを、洗濯機本体１４０と称する。
【００６３】
次に、図２を参照して、筐体底板１０２ｃの構成について説明する。
【００６４】
筐体１０２は、筐体１０２の下部に、洗濯機本体１４０の下方に位置する筐体底板１０２ｃを有する。筐体底板１０２ｃには、台枠１０４の台枠底部１０４ａに設けられた台枠脚１５１が貫通配置される、複数（例えば、４個）の略円形状の貫通孔１５６が設けられている。複数の台枠脚１５１それぞれが、対応する貫通孔１５６を貫通する。これにより、筐体底板１０２ｃの上方に配設される洗濯機本体１４０が、筐体底板１０２ｃと接触することなく、設置床面上に自立できる。貫通孔１５６の内周面には、防振ゴム等の貫通孔弾性体１５７が配設されている。
【００６５】
次に、図３を参照して、台枠１０４と筐体底板１０２ｃとの関係について説明する。
【００６６】
本実施の形態における台枠１０４は、台枠底部１０４ａに、複数（例えば、４本）の台枠脚１５１を備えている。台枠脚１５１は、台枠脚部弾性体１５２と、貫通孔嵌合部１５３とを備えている。台枠脚部弾性体１５２は、台枠脚１５１の下部に設けられ、設置床面と接触する。貫通孔嵌合部１５３は、台枠脚１５１の上部に設けられている。
【００６７】
貫通孔嵌合部１５３の下部には、テーパー部１５４が形成されている。テーパー部１５４は、台枠脚１５１が、筐体底板１０２ｃの貫通孔１５６を通過するときに、台枠脚１５１を、貫通孔１５６の径方向の所定位置に誘導するように設けられている。テーパー部１５４は、上側端面の直径が、下側端面の直径より大きい。また、テーパー部１５４の上側端面の直径は、貫通孔１５６の直径より小さい。
【００６８】
なお、逆に、テーパー部１５４の上側端面の直径が、貫通孔１５６の直径より大きくてもよい。具体的には、筐体１０２と洗濯機本体１４０とを一体に持ち上げるときに、台枠脚１５１と貫通孔１５６との接触部に、洗濯機本体１４０の重量による荷重が作用しても、洗濯機１００の破損が防止される構成であればよい。しかしながら、テーパー部１５４の上側端面の直径を、貫通孔１５６の直径より小さく形成しておくことにより、台枠脚１５１および貫通孔１５６が接触しにくいので、より洗濯機１００の破損が防止される。
【００６９】
同様に、貫通孔嵌合部１５３には、垂直面部１５５が形成されている。洗濯機の設置のため、筐体１０２と洗濯機本体１４０とが一体で持ち上げられている状態から床面に降ろされるとき、垂直面部１５５が、筐体１０２の移動を鉛直下方に誘導する。よって、洗濯機設置時に、筐体１０２に対する洗濯機本体１４０の横ずれが防止され、洗濯機全体が、適正な状態で設置されることができる。垂直面部１５５の直径は、貫通孔１５６の直径よりも小さい。垂直面部１５５は、テーパー部１５４の上部に、上下方向に連続して形成されている。
【００７０】
台枠脚部弾性体１５２、テーパー部１５４および垂直面部１５５は、いずれも、断面略円形状に形成されている。
【００７１】
次に、台枠脚１５１および筐体脚１５０に関連する、高さ寸法の関係について説明する。
【００７２】
台枠脚１５１の、床面に接地する底面、および、台枠１０４の、台枠底部１０４ａの最下点との間の高さを寸法Ｌ１とする。ここで、再下点は、台枠底部１０４ａが水平面である場合、台枠１０４の底面の下面とする。
【００７３】
筐体脚１５０の、床面に接地する底面と、筐体底板１０２ｃの、台枠１０４と対向する部分の最上点との間の高さを寸法Ｌ２とする。最上点は、筐体底板１０２ｃが水平面である場合、その上面とする。
【００７４】
このとき、寸法Ｌ１および寸法Ｌ２の関係は、Ｌ１＞Ｌ２に設定されている。
【００７５】
なお、台枠１０４、台枠脚１５１、筐体底板１０２ｃおよび筐体脚１５０は、いずれも、支持する重量により多少変形する。よって、上述した高さ寸法Ｌ１，Ｌ２は、重量が掛かった状態、すなわち、洗濯機１００が床面に設置された状態での寸法とする。
【００７６】
このような構成により、洗濯機１００が床面に設置されたとき、洗濯機本体１４０（台枠１０４）と筐体１０２とは直接接触しない。
【００７７】
以上のように構成された洗濯機１００について、その動作および作用を説明する。
【００７８】
標準的な運転モードにおいて、本実施の形態の洗濯機１００は、洗い工程、すすぎ工程および脱水工程を、この順に実行する。
【００７９】
まず、洗い工程においては、給水装置により、衣類の量に応じた、所定量の洗剤および洗浄水が、給水ホースを介して水槽１０１内に供給される。その後、制御部は、駆動装置１１０により、回転ドラム１０５を、正逆方向に３０ｒ／ｍｉｎ程度の低速で回転させて、衣類の洗浄を行う。衣類を、攪拌バッフル１０９によって持ち上げては落とす、たたき洗いが、設定に基づいて所定時間行われる。
【００８０】
洗い工程が終わると、すすぎ工程が実行される。
【００８１】
回転ドラム１０５内の洗浄水は、排水装置によって、排水ホースを介して機外に排出される。新たな水が、給水装置によって水槽１０１内に供給される。その後、制御部は、駆動装置１１０により、回転ドラム１０５を正逆方向に３０ｒ／ｍｉｎ程度の低速で回転させて、衣類のすすぎを行う。このすすぎ工程は、水が入れ替えられて複数回行われる。
【００８２】
続く脱水工程では、水槽１０１内の水が、排水ホースを介して排水される。その後、制御部は、回転ドラム１０５を、正方向（正面からみて時計回り方向）に高速回転させる。これによって、衣類に残った水が遠心脱水される。遠心脱水された水は、回転ドラム１０５の周壁に設けられた複数の排出孔１０８から、水槽１０１および排水ホースを経由して、機外に排出される。このとき、回転ドラム１０５の中で偏った衣類は、回転によってアンバランス力を生じ、加振力となって水槽１０１を振動させる。この振動エネルギーが、サスペンション機構１０３に伝わる。
【００８３】
従来の洗濯機においては、上述の振動エネルギーが筐体を加振する。この振動は、回転ドラムの回転軸の周方向に発生する。回転ドラムの回転数が、およそ１５０ｒ／ｍｉｎ〜２５０ｒ／ｍｉｎに達すると、水槽の共振が発生し、水槽が大きく振動する。この振動モードでは、水槽の左右方向の振幅、および、上下方向の振幅が大きくなる。サスペンション機構は、水槽の下側に、略鉛直方向に設置されている。このため、サスペンション機構による横方向への減衰力は小さく、上下方向に比べて横方向の振動が大きくなる。
【００８４】
従来の洗濯機において、回転ドラムの回転数がさらに上昇して、目標の回転数に達すると、脱水の定常運転が行われる。この脱水の定常運転において、回転ドラムは、７００ｒ／ｍｉｎ〜９００ｒ／ｍｉｎの高回転数で、数分間回転し続ける。脱水の定常運転時の振動は、水槽および筐体の共振周波数ではないものの、回転ドラムには、衣類のアンバランスによる偏心量が残存している。回転機械の振動特性上、回転ドラムの回転数が大きくなっても、偏心量をおよその振幅として、振動が発生し続ける。水槽および筐体の振動は、使用者にとって不快な騒音となり、家屋の振動につながる。そのため、水槽から筐体への振動伝達率を低減する必要がある。
【００８５】
しかしながら、従来の洗濯機では、衣類の偏りによって生じた振動を、サスペンション装置だけによって十分に低減させることができない。このため、水槽の振動は筐体に伝達され、洗濯機脚部を通して、床面に振動が伝達する。さらに、水槽から筐体へ伝達される振動によって、主として薄い板金により形成される筐体は、振動して、接触音等の騒音を発生する。このように、サスペンション装置による、筐体の振動低減効果は小さく、脱水運転中の筐体の振動は生じやすく、洗濯機の品位が欠ける場合がある。
【００８６】
これに対して、本実施の形態における洗濯機１００は、設置されたとき、筐体１０２と台枠１０４とは、直接連結されずに離間している。自立する筐体１０２に対して、自立する洗濯機本体１４０が、筐体１０２と接触せずに内包されている。よって、回転ドラム１０５で生じた振動は、サスペンション機構１０３および台枠１０４を介して、設置床面に伝達される。これにより、台枠１０４から筐体１０２に、直接振動が伝達される場合に比べて、本実施の形態の構成では、振動が、設置床面のみに直接伝達される。このため、筐体１０２へ伝達される振動エネルギーは小さくなり、筐体１０２の振動を効果的に低減できる。
【００８７】
また、筐体１０２の下部には、筐体底板１０２ｃが設けられている。これにより、筐体１０２の剛性を向上させ、筐体１０２の重心位置を低下させることができる。このため、筐体１０２自体の防振性能を向上させることができる。
【００８８】
また、筐体底板１０２ｃに、台枠脚１５１が貫通する貫通孔１５６が設けられている。これにより、筐体１０２内に洗濯機本体１４０を収容しながらも、洗濯機本体１４０は、台枠脚１５１によって床面に自立する。これにより、筐体底板１０２ｃを有しながらも、洗濯機本体１４０と筐体１０２との間の絶縁構造、すなわち直接接触しない構造を実現できる。
【００８９】
また、筐体底板１０２ｃの貫通孔１５６の内周部は、防振ゴム等の貫通孔弾性体１５７で覆われている。これにより、洗濯機本体１４０の異常振動等の原因により、万が一、洗濯機本体１４０と筐体１０２とが接触しても、筐体１０２の振動および異音の発生を軽減できる。
【００９０】
また、台枠脚１５１は、設置床面と接触する、防振ゴム等の台枠脚部弾性体１５２の他に、平面視において、筐体底板１０２ｃの貫通孔１５６と対応する位置に、貫通孔嵌合部１５３を備えている。これにより、洗濯機１００の運搬および設置時に、筐体１０２に対する、洗濯機本体１４０の相対位置のずれを防止できる。
【００９１】
さらに、台枠脚１５１の貫通孔嵌合部１５３がテーパー部１５４を備えることにより、作業者が筐体１０２を持ち上げた際に、貫通孔１５６と貫通孔嵌合部１５３との水平方向の相対位置が決まる。よって、筐体１０２と洗濯機本体１４０との相対位置を維持しながら、従来と同様の簡単な作業で、洗濯機１００の運搬および設置ができる。
【００９２】
また、台枠脚１５１の貫通孔嵌合部１５３は、テーパー部１５４の上部に、上下方向に連続して形成された垂直面部１５５を備えている。これにより、作業者が洗濯機１００を設置場所に降ろすとき、先に台枠脚１５１が床面に着いた後、貫通孔嵌合部１５３の垂直面部１５５により、筐体底板１０２ｃの貫通孔１５６が、鉛直下方に誘導される。よって、洗濯機本体１４０に対する筐体１０２の相対位置を維持しながら、筐体１０２を設置場所に降ろし、洗濯機１００全体を、適正な状態で設置することができる。
【００９３】
さらに、台枠脚１５１と筐体脚１５０とに関連する高さ寸法が、上述されたように、Ｌ１＞Ｌ２と設定されている。これにより、作業者が、洗濯機１００を設置場所に降ろすことにより、自動的に洗濯機本体１４０と筐体１０２とが分離されて、直接接触しない状態が実現される。これにより、作業者による特別な作業が不要で、筐体１０２の振動および騒音を抑制できる、高品位な洗濯機１００を実現することができる。
【００９４】
以上のように、本実施の形態における洗濯機１００は、筐体１０２に対して、洗濯機本体１４０を、絶縁した状態（すなわち、直接接触しない状態）で設置することにより、回転ドラム１０５で生じた振動が、洗濯機本体１４０から筐体１０２に伝達することを低減できる。
【００９５】
また、筐体底板１０２ｃには、台枠脚１５１が貫通する貫通孔１５６が設けられ、台枠脚１５１には、貫通孔嵌合部１５３が設けられている。これにより、筐体１０２を持ち上げた際、筐体１０２と洗濯機本体１４０との相対位置を維持しながら、洗濯機１００の運搬および設置が可能となる。そして、設置場所で筐体１０２を降ろすことにより、自動的に、洗濯機本体１４０と筐体１０２とが、絶縁された（すなわち直接接触しない）状態で、適切な相対位置に設置される。これにより、洗濯機１００を移動させても、筐体１０２と洗濯機本体１４０との絶縁性が確保され、筐体１０２の振動および騒音を効果的に抑制し、高品位な洗濯機１００を提供することができる。
【００９６】
なお、筐体１０２と洗濯機本体１４０との間は、給排水ホースにより接続されているが、給排水ホースが柔軟な材料で構成されることにより、より大きな振動低減効果が得られる。
【００９７】
（第２の実施の形態）
次に、本開示の第２の実施の形態について説明する。
【００９８】
従来の洗濯機は、洗濯兼脱水槽等の洗濯機本体と、筐体とを一体で持ち上げて移動させる構造である。このため、狭所への設置、および、狭所での修理メンテナンスが行いづらく、デザイン性の高いサニタリールームでの設置には適さないものであった。
【００９９】
本実施の形態は、回転ドラムから筐体への振動伝達を効果的に低減でき、特に脱水運転時に定常時に発生する、筐体の振動が抑制され、狭所での設置性および修理メンテナンス性に優れた洗濯機を提供するものである。
【０１００】
図４は、本開示の第２の実施の形態における洗濯機２００を側方から見た要部断面図である。図５は、同洗濯機２００の、筐体１０２収容前の洗濯機本体１４０を側方から見た要部断面図である。図６は、同洗濯機２００の、筐体底板１０２ｃの平面図である。図７は、同洗濯機２００の台枠１０４と筐体底板１０２ｃとの関係を示す要部断面図である。
【０１０１】
まず、図４を参照して、本実施の形態の洗濯機２００の構成を説明する。本実施の形態の洗濯機２００は、第１の実施の形態で説明した洗濯機１００と、基本的な構成は共通する。そこで、本実施の形態では、第１の実施の形態で説明した構成要素と同じ構成要素には同じ符号を付して、その説明を省略する。
【０１０２】
筐体１０２は、筐体前面１０２ａと、筐体前面１０２ａの後部に位置する筐体本体１０２ｂとを備えている。
【０１０３】
筐体本体１０２ｂは、金属板または樹脂製で、天面、背面、左の側面および右の側面が一体に構成されている。
【０１０４】
筐体前面１０２ａは、洗濯機２００の正面側に位置し、筐体本体１０２ｂに対して着脱可能に構成されている。洗濯機２００が設置された状態では、洗濯機本体１４０の大半の部分が、筐体本体１０２ｂの内部に収容される。
【０１０５】
台枠１０４は、台枠底部１０４ａを有し、台枠底部１０４ａには、複数（例えば、４本）の台枠脚１５１が設けられている。台枠脚１５１の、床面に接地する部分は、防振ゴム等の弾性体で構成されている。台枠１０４は、筐体底板１０２ｃ上を、回転して前後方向に移動可能なキャスター１５８と、キャスター１５８を上下方向に昇降させる昇降装置１５９とを備えている。キャスター１５８は、前後左右に複数設けられている。例えば、正面から見て左右に設けられた二つのキャスター１５８が、前後に二対設けられている。
【０１０６】
なお、筐体１０２と洗濯機本体１４０とが一体で持ち上げられ、その後、床面に降ろされる際の、洗濯機本体１４０の筐体１０２に対する位置ずれを防止するため、台枠脚１５１の弾性体の上部には、テーパー部、および、それに連続する垂直面部が設けられていてもよい（第１の実施の形態を参照）。
【０１０７】
次に、図５を参照して、洗濯機本体１４０の、筐体１０２内に収容される前の状態について説明する。
【０１０８】
洗濯機本体１４０が筐体１０２内に収容される前、キャスター１５８は、昇降装置１５９によって、下降した位置に固定されている。このとき、台枠脚１５１は、設置床面と接触せず、キャスター１５８が設置床面に接触する。これにより、洗濯機本体１４０は、水平方向に移動が容易な状態で自立する。
【０１０９】
次に、図６を参照して、本実施の形態の筐体底板１０２ｃについて説明する。
【０１１０】
図６は、洗濯機本体１４０が筐体１０２の内部に収容されていない状態の、筐体底板１０２ｃを示している。
【０１１１】
筐体底板１０２ｃには、複数（例えば四つ）の貫通孔１５６が設けられている。貫通孔１５６は、台枠１０４の台枠底部１０４ａに設けられた台枠脚１５１が貫通可能に設けられ、略円形状である。複数の台枠脚１５１それぞれが、対応する貫通孔１５６を貫通する。これにより、筐体底板１０２ｃの上方に配設される洗濯機本体１４０は、筐体１０２と直接接触することなく、設置床面上に自立する。なお、貫通孔１５６の内周面には、防振ゴム等の貫通孔弾性体（図示せず）が配設されていてもよい（第１の実施の形態参照）。
【０１１２】
筐体底板１０２ｃの上面側には、前後方向に、奥行き方向の所定位置まで延伸する、複数本（例えば、２本）の溝１６０が形成されている。キャスター１５８は、この溝１６０に嵌め込まれてガイドされる。キャスター１５８は、特定の軌道で、筐体底板１０２ｃの奥行き方向の所定位置まで移動可能に構成されている。本実施の形態において、溝１６０は、貫通孔１５６よりも、平面視において、左右方向の、筐体底板１０２ｃの内側方向に位置する。
【０１１３】
筐体底板１０２ｃの洗濯機２００の正面側には、スロープ板１６１（回動可能部）が、その前方に、上下方向に回動可能な部分を有して設けられている。スロープ板１６１は、その前方が下方に回動することにより、設置床面から筐体底板１０２ｃに対して、上り傾斜した傾斜面を形成する（図７参照）。なお、この回動方法、構成は、特定のものに限定されず、公知の方法および構成を用いることができる。
【０１１４】
次に、図７を参照して、本実施の形態における、台枠１０４と筐体底板１０２ｃとの関係について説明する。図７は、洗濯機本体１４０が筐体１０２の内部に収容された状態を示している。
【０１１５】
筐体１０２内に収容された洗濯機本体１４０は、台枠脚１５１が筐体底板１０２ｃの貫通孔１５６を貫通して、床面と接触している。
【０１１６】
キャスター１５８は、筐体底板１０２ｃの溝１６０とは接触せず、筐体底板１０２ｃとは離間している。
【０１１７】
キャスター１５８を用いて、洗濯機本体１４０を移動させ、筐体１０２内へ収容するときは、筐体底板１０２ｃの前部に設けられたスロープ板１６１を下方に回動させて、傾斜面を形成する。そして、設置床面と筐体底板１０２ｃの前部との間に段差を無くす（図７の破線参照）。この状態で、洗濯機本体１４０を前方から後方に転がして、筐体１０２内に収納する。洗濯機本体１４０を筐体１０２内に収容した後は、スロープ板１６１を略水平位置まで上方に回動させて、スロープ板１６１と設置床面との接触をなくす。
【０１１８】
台枠脚１５１と筐体脚１５０とに関連する高さ寸法Ｌ１，Ｌ２の関係は、第１の実施の形態と同様に、Ｌ１＞Ｌ２に設定されている。後述するように、作業者が洗濯機本体１４０を筐体１０２内に移動させ、キャスター１５８を上昇させて台枠脚１５１を貫通孔１５６に貫通させて降ろす。このとき、Ｌ１＞Ｌ２に設定されていることにより、自動的に洗濯機本体１４０と筐体１０２とが分離され、接触しない状態が実現される。これにより、洗濯機本体１４０を筐体１０２内に収納する場合においても、作業者による特別な作業が不要で、筐体１０２の振動および騒音を抑制できる、高品位の洗濯機を実現することができる。
【０１１９】
以上のように、洗濯機２００が床面に設置されたとき、洗濯機本体１４０（台枠１０４）と筐体１０２とは直接接触しないように構成されている。
【０１２０】
洗濯機２００の基本的な動作および作用は、第１の実施の形態で説明した洗濯機１００と同様であるので、その説明を省略する。
【０１２１】
次に、本実施の形態における洗濯機２００のサニタリールームへの搬入、設置および、修理メンテナンス作業について説明する。
【０１２２】
ドラム式洗濯機は、一般に重量物であり、一体のままでは、洗面所の近くおよびサニタリールーム等の狭所への設置に、非常に手間がかかる。そのため、搬入の容易性、設置の作業性および修理メンテナンス性に欠ける。
【０１２３】
これに対して、本実施の形態の洗濯機２００は、洗濯機本体１４０と筐体１０２とが分離されて構成されている。さらに、筐体１０２は、洗濯機２００の正面側に位置する筐体前面１０２ａが、筐体本体１０２ｂに対して着脱可能に設けられた構成を有している。この構成によって、以下に述べるように、作業者は、洗濯機２００の搬入および設置ならびに修理メンテナンスの作業を、容易かつ確実に行うことができる。
【０１２４】
まず、洗濯機２００の開梱時等の、設置前の準備において、作業者は、筐体本体１０２ｂから筐体前面１０２ａを取り外す。その後、作業者は、洗濯機本体１４０を筐体本体１０２ｂから引き出して、筐体本体１０２ｂと洗濯機本体１４０とを分離する。このとき、図５に示されるように、洗濯機本体１４０は、複数（例えば、４本）のキャスター１５８を設置床面に接触させて、自立する。
【０１２５】
なお、設置前の準備段階では、筐体１０２と洗濯機本体１４０とが別々に梱包されていてもよい。設置前は、比較的広いスペースでの開梱作業が可能であるため、筐体１０２と洗濯機本体１４０との分離および組み立ては容易である。
【０１２６】
なお、キャスター１５８は、作業者の補助により、洗濯機本体１４０を水平方向に移動させることが容易であれば、個数は限定されない。キャスター１５８を１個だけ設ける等、個数は少なくても、多くてもよい。また、キャスター１５８の代わりに、ボールおよびローラー等の、キャスター１５８と同様に移動可能な構造を用いてもよい。
【０１２７】
洗濯機２００のサニタリールームへの設置は、下記のように行われる。
【０１２８】
作業者は、まず、筐体本体１０２ｂをサニタリールームの床面に設置する。筐体本体１０２ｂは、弾性体で構成される、複数（例えば、４本）の筐体脚１５０によって自立可能である。筐体本体１０２ｂは、洗濯機本体１４０と比較して、水槽１０１、回転ドラム１０５および駆動装置１１０等の重量構成部品を搭載しないため、軽量であり、持ち上げが容易である。また、位置決めも行いやすいので、設置が容易である。
【０１２９】
次に、作業者は、筐体本体１０２ｂ内に、洗濯機本体１４０を正面から押し入れ、収容する。洗濯機本体１４０の、筐体本体１０２ｂ内の所定位置に位置決めされての設置は、以下のように行われる。
【０１３０】
図５に示されるように、台枠１０４は、キャスター１５８により設置床面と接地しており、作業者は、キャスター１５８によって、自由に洗濯機本体１４０を設置床面上で移動させることができる。そのため、洗濯機２００の開梱場所と設置場所との間に距離があっても、洗濯機本体１４０の移動は容易である。
【０１３１】
作業者は、筐体底板１０２ｃの洗濯機２００正面側に設けられたスロープ板１６１の前方を、下方に回動させる。そして、図７に破線で示されるように、筐体底板１０２ｃの正面側（前方側）に、設置床面から筐体底板１０２ｃに向かって上り傾斜する傾斜面を形成する。これにより、作業者は、洗濯機本体１４０を、設置床面から筐体底板１０２ｃ上まで、キャスター１５８で容易に移動させることができ、重量物である洗濯機本体１４０を持ち上げる必要がない。
【０１３２】
スロープ板１６１の傾斜面を越えたキャスター１５８は、筐体底板１０２ｃ上の溝１６０を、後方に移動する。溝１６０は、キャスター１５８を、筐体底板１０２ｃ上の所定の位置まで誘導する形状に構成されている。これにより、筐体底板１０２ｃ上に載った洗濯機本体１４０の移動は、特定軌道に制限される。したがって、筐体本体１０２ｂ内での洗濯機本体１４０の移動途中に、筐体本体１０２ｂと洗濯機本体１４０との、不用意な接触および位置ずれを防止することができる。
【０１３３】
次に、洗濯機本体１４０の、筐体本体１０２ｂに対する位置決めがなされる。キャスター１５８が溝１６０内を移動し終えた後、洗濯機本体１４０は、筐体本体１０２ｂに対して、所定位置に配設される。溝１６０によるキャスター１５８の誘導位置の前方の筐体底板１０２ｃ上面に、緩衝材、または、キャスター１５８が容易に乗り越え可能な凹凸形状を設けてもよい。これにより、筐体本体１０２ｂに対して、洗濯機本体１４０を、どの程度押し入れればよいかがわかる指標となる。
【０１３４】
洗濯機本体１４０が筐体底板１０２ｃ上の所定位置に定まった後、作業者は、洗濯機２００の正面側から昇降装置１５９を操作する。具体的には、キャスター１５８を上昇させて、相対的に台枠脚１５１を下降させる。例えば、複数のキャスター１５８が一枚のプレートに連結されている構成であれば、昇降装置１５９によってプレートを昇降させることで、複数のキャスター１５８を一度に上昇させることができる。昇降装置１５９は、複数のキャスター１５８を一度にまとめて昇降させる構成であることが望ましいが、作業性を損なわなければ、キャスター１５８を個別に昇降させる構成でもよい。
【０１３５】
また、昇降装置１５９を、キャスター１５８ではなく、台枠脚１５１に連結することで、キャスター１５８と台枠脚１５１との相対高さを、同様に変化させることができる。昇降装置１５９がキャスター１５８を昇降させる場合を、第１の昇降装置と記載し、昇降装置１５９が台枠脚１５１を昇降させる場合を、第２の昇降装置と記載する。洗濯機本体１４０を、第１の昇降装置および第２の昇降装置を備えた構成としてもよい。
【０１３６】
このように、状況に応じて、台枠脚１５１またはキャスター１５８を床面と接触させるように台枠脚部構造を切り替えることができるので、洗濯機本体１４０を移動可能な状態に容易に変化させることができる。なお、台枠脚１５１に昇降装置１５９が連結されている場合は、従来の洗濯機の台枠脚と同様に、洗濯機２００の設置時に、洗濯機２００の、高さ調節および水平度の調節ができ、設置性を改善できる。
【０１３７】
下降した台枠脚１５１は、筐体底板１０２ｃ上の貫通孔１５６を通り、設置床面に接地する。この際、溝１６０によって、洗濯機本体１４０の筐体本体１０２ｂに対する位置決めがなされているので、台枠脚１５１と貫通孔１５６とは接触しない。これにより、洗濯機本体１４０を、キャスター１５８ではなく、台枠脚１５１によって、設置床面に自立させることができる。したがって、洗濯機２００の運転時の安定性が確保され、防振性能も向上する。
【０１３８】
さらに、キャスター１５８を上昇させることにより、キャスター１５８は、筐体底板１０２ｃと接触しなくなる。これにより、洗濯機本体１４０の振動が、キャスター１５８を介して筐体底板１０２ｃへ伝達されることを防止できる。
【０１３９】
以上のように、筐体本体１０２ｂ内で、台枠脚１５１を貫通孔１５６内で昇降させることで、筐体本体１０２ｂと洗濯機本体１４０とは、相対位置を維持しながらも、絶縁された（すなわち直接接触しない）構成となる。これにより、筐体１０２の振動低減だけでなく、筐体１０２内における洗濯機本体１４０の位置決めも行うことができる。
【０１４０】
次に、筐体前面１０２ａに設けられた操作表示部１１３を、ケーブルおよびコネクタによって、洗濯機本体１４０の制御部に接続する。その後、筐体前面１０２ａを筐体本体１０２ｂに取り付け固定して、洗濯機２００の設置は完了する。
【０１４１】
筐体前面１０２ａの筐体本体１０２ｂへの取り付け固定は、ビスによる固定、および、嵌め合わせによる固定等、よく知られた方法を適用可能である。
【０１４２】
なお、洗濯機２００の設置後に修理メンテナンスが必要となった場合は、前述の設置方法とは逆の手順を踏むことで、容易に洗濯機本体１４０を筐体１０２から取り出すことができる。したがって、本実施の形態の洗濯機２００は、高い修理メンテナンス性も十分備えている。
【０１４３】
本実施の形態の洗濯機２００の修理メンテナンス作業の手順を説明する。
【０１４４】
前方からの作業によって修理メンテナンスが行える場合、筐体前面１０２ａを筐体本体１０２ｂから取り外せば、修理メンテナンス作業を行うことができる。例えば、水槽開口部１０１ａ、扉１１２、ならびに、パッキン関係および制御部関係の修理メンテナンスを、この状態にて行うことができる。このとき、操作表示部１１３と制御部との結線は、必要に応じて外せばよい。
【０１４５】
一方、修理メンテナンスを必要とする部分が洗濯機２００の背面側にある場合、作業者は、筐体前面１０２ａを筐体本体１０２ｂから取り外し、操作表示部１１３と制御部との結線を外した後、昇降装置１５９を操作して、キャスター１５８を下降させる。これにより、キャスター１５８を、筐体底板１０２ｃ上の溝１６０内に配置させて、台枠脚１５１を床面から上昇させる。これによって、洗濯機本体１４０は、容易に移動可能となる。
【０１４６】
なお、昇降装置１５９が、キャスター１５８ではなく台枠脚１５１に連結されている構成においては、昇降装置１５９によって、台枠脚１５１を床面から上昇させる。これによって、キャスター１５８は、筐体底板１０２ｃ上の溝１６０内に配置され、洗濯機本体１４０は、容易に移動可能となる。
【０１４７】
次に、作業者は、筐体底板１０２ｃの、洗濯機２００正面側に設けられたスロープ板１６１の前方を下方に回動させて、筐体底板１０２ｃの正面側に、設置床面から筐体底板１０２ｃに向かって上り傾斜する傾斜面を形成する。
【０１４８】
作業者は、キャスター１５８によって、洗濯機本体１４０を、筐体底板１０２ｃの溝１６０から、その前部に位置するスロープ板１６１の傾斜面を移動させて、洗濯機本体１４０を前方に引き出す。
【０１４９】
これにより、作業者は、容易に修理メンテナンス作業を行うことができる。例えば、駆動装置１１０関係の修理メンテナンスを、この状態で行うことにより、効率的に行うことができる。特に、壁面内に洗濯機２００が収納されるような、デザイン性の高いサニタリールームにおいて有用である。
【０１５０】
修理メンテナンス作業が終了すると、作業者は、洗濯機本体１４０が前方に引き出されていれば、筐体本体１０２ｂ内に収納し、設置と同様の手順で、洗濯機本体１４０を、筐体本体１０２ｂに対する所定位置において、床面に接地させる。そして、作業者は、操作表示部１１３と制御部とを結線した後、筐体前面１０２ａを筐体本体１０２ｂに取り付け固定して、洗濯機２００の修理メンテナンスを完了する。筐体前面１０２ａの筐体本体１０２ｂへの取り付け固定は、ビスによる固定、および、嵌め合わせによる固定等、よく知られた方法を適用可能である。
【０１５１】
なお、筐体底板１０２ｃの洗濯機２００正面側に設けられたスロープ板１６１は、洗濯機２００の設置および修理メンテナンス後は、スロープ板１６１の前方を、スロープ板１６１と筐体底板１０２ｃとが、ほぼ面一（すなわち、互いの上部表面が同じ高さとなること）となる位置まで上方に回動させた状態で固定される。これにより、設置後および修理メンテナンス後の、洗濯機２００の正面下方の美観が維持される。
【０１５２】
なお、洗濯機２００の設置および修理メンテナンスにおいて、給水ホースおよび排水ホースの処理が課題となる。給水ホースおよび排水ホースを、それぞれ、洗濯機２００の上方および下方の前部近傍で分離できる構成とすることにより、上述した課題を解決できる。
【０１５３】
これにより、設置時には、給水および排水関係の接続作業を、前方から容易に行うことができるとともに、洗濯機２００が運転位置に設置されたときに、給排水ホースが洗濯機２００の内部を圧迫することがない。
【０１５４】
また、修理メンテナンス時には、給排水ホースを容易に分離することができ、簡単に、洗濯機２００に内蔵された主要部品を取り出すことができる。また、運転時の洗濯機本体１４０の振動が、筐体１０２に直接的に伝達されず、筐体１０２の振動および移動を防止することができる。
【０１５５】
以上のように、本実施の形態における洗濯機２００は、水槽１０１の下部に配設される台枠１０４の下部に、床と接触可能な台枠脚１５１が配設されている。洗濯機本体１４０は、筐体１０２と接触せず、床に台枠脚１５１で自立するように構成されている。
【０１５６】
これにより、洗濯機本体１４０は、台枠脚１５１によって、筐体脚１５０で自立する筐体１０２とは接触せず、独立して自立する。したがって、筐体１０２に対して、洗濯機本体１４０を絶縁した状態で設置することができ、回転ドラム１０５で生じた振動の、洗濯機本体１４０から筐体１０２への伝達を低減でき、洗濯機２００の品位を向上させることができる。
【０１５７】
また、台枠１０４にキャスター１５８を備えたことにより、筐体１０２に対して、洗濯機本体１４０を容易に出し入れすることができ、狭所においても、洗濯機２００の設置および修理メンテナンスが行える。
【０１５８】
また、台枠１０４は、キャスター１５８を昇降させる昇降装置１５９を備えていてもよい。これにより、台枠脚１５１とキャスター１５８との相対高さを変化させることができる。よって、状況に応じて、台枠脚１５１またはキャスター１５８を床面と接触させるように、台枠脚部構造を切り替えることができ、洗濯機本体１４０を移動可能な状態に容易に変化させることができる。
【０１５９】
また、台枠１０４は、キャスター１５８を昇降させる昇降装置１５９の代わりに、または、それに加えて、台枠脚１５１を昇降させる昇降装置１５９を備えていてもよい。これにより、台枠脚１５１とキャスター１５８との相対高さを変化させ、状況に応じて、台枠脚１５１またはキャスター１５８を床面と接触させるように台枠脚部構造を切り替えることができ、洗濯機本体１４０を移動可能な状態に容易に変化させることができる。また、台枠脚１５１の昇降により、洗濯機２００の設置時に、洗濯機２００の高さ調節、および、水平度の調節ができ、設置性を改善できる。
【０１６０】
また、台枠脚１５１は、キャスター１５８が床に接触している時、床に接触しないように構成されていてもよい。これにより、設置および修理メンテナンス時の、洗濯機本体１４０の筐体１０２への出し入れに際し、キャスター１５８により、洗濯機本体１４０を水平方向に自由に移動させることができる。
【０１６１】
また、キャスター１５８は、台枠脚１５１が床に接触しているとき、筐体底板１０２ｃ（筐体１０２）に接触しないように構成されていてもよい。これにより、洗濯機２００が所定の位置に設置されて運転されるとき、キャスター１５８を含む洗濯機本体１４０と、筐体１０２との間の振動絶縁がなされる。このため、洗濯機本体１４０から、筐体１０２および床面への振動伝達が低減され、脱水運転時の筐体１０２の振動および騒音、ならびに、床面の振動を効果的に低減できる。
【０１６２】
また、筐体１０２は、筐体１０２の正面部分である筐体前面１０２ａが、筐体本体１０２ｂに対して着脱可能に構成されていてもよい。これにより、筐体１０２の正面を開放できるので、筐体１０２内に正面から洗濯機本体１４０を押し入れるように搬入できる。よって、洗濯機２００の設置場所が狭所である場合、および、ビルトイン方式での設置が必要になった場合においても、容易に設置することができる。また、修理メンテナンスにおいても、筐体１０２内から正面側に洗濯機本体１４０を引き出すことができるので、広いスペースで、効率的かつ正確な修理メンテナンス作業を行うことができる。
【０１６３】
また、筐体１０２は、筐体１０２の下部に筐体底板１０２ｃを備えていてもよい。筐体底板１０２ｃは、台枠脚１５１が貫通する貫通孔１５６を有し、洗濯機本体１４０は、台枠脚１５１が貫通孔１５６を貫通して床に自立するように構成されている。これにより、筐体１０２の強度を向上させることができ、筐体１０２の重心を低くすることができ、筐体１０２の防振性能を向上させることができる。また、筐体１０２が筐体底板１０２ｃを有していても、台枠脚１５１が貫通孔１５６を貫通した状態で、洗濯機２００を設置できる。これによって、洗濯機本体１４０は、台枠脚１５１によって設置床面に自立しながらも、筐体１０２との振動絶縁を維持できる。よって、筐体１０２の振動および騒音、ならびに、床面の振動を低減できる。
【０１６４】
また、筐体底板１０２ｃには、キャスター１５８を、筐体底板１０２ｃ上において、特定の軌道で移動させることの可能な溝１６０が設けられていてもよい。これにより、筐体底板１０２ｃ上で洗濯機本体１４０を移動させる際に、筐体１０２に対して、洗濯機本体１４０を特定位置に移動させやすくなり、洗濯機本体１４０の筐体１０２に対する正確な位置決めができる。
【０１６５】
さらに、筐体底板１０２ｃは、その外周にスロープ板１６１（回動可能部）を備え、スロープ板１６１は、回動により、設置床面から筐体底板１０２ｃ上に向かって上り傾斜する傾斜面を形成する構成であってもよい。これにより、洗濯機２００の設置および修理メンテナンスの必要に応じて、適宜、筐体底板１０２ｃにスロープ形状を形成することができる。筐体底板１０２ｃを有する筐体１０２に対して、狭所においても、洗濯機本体１４０を持ち上げることなく、筐体１０２に対して出し入れすることができる。また、洗濯機２００の設置および修理メンテナンス後に、スロープ板１６１の前方を、筐体底板１０２ｃとほぼ面一となる位置まで上方に回動させ、固定することができる。これにより、設置後および修理メンテナンス後の、洗濯機２００の正面下方の美観を損なうことが無い。
【０１６６】
なお、上述した実施の形態において、筐体１０２と洗濯機本体１４０との間は給排水ホースにより接続されている。給排水ホースが柔軟な材料で構成されていれば、より大きな振動低減効果が得られる。
【０１６７】
以上述べたように、本実施の形態の洗濯機は、自立する筐体内に、筐体とは独立して自立する洗濯機本体を配設している。これにより、洗濯機本体と筐体との間の振動絶縁がなされる。よって、水槽から筐体に、サスペンション機構を介して直接、振動が伝達することを防止し、脱水運転中の筐体の振動および騒音、ならびに、床面の振動を効果的に抑制することができる。
【０１６８】
また、洗濯機本体の台枠下方にキャスターを備えることで、洗濯機本体の移動が容易になり、狭所において、筐体内に、洗濯機本体を正面からスライドさせるようにして出し入れできるので、洗濯機の設置性および修理メンテナンス性を向上させることができる。
【産業上の利用可能性】
【０１６９】
以上述べたように、本開示にかかる洗濯機は、洗濯機の設置性および修理メンテナンス性を確保しつつ、運転時の筐体の振動および騒音を抑制できるという格別な効果を奏する。よって、洗濯機能に加えて、乾燥機能も併せ持つ洗濯乾燥機、および、乾燥専用の衣類乾燥機等にも適用でき、有用である。
【符号の説明】
【０１７０】
１０１    水槽
１０２    筐体
１０２ａ    筐体前面
１０２ｂ    筐体本体
１０２ｃ    筐体底板
１０３    サスペンション機構
１０４    台枠
１０４ａ    台枠底部
１０５    回転ドラム
１１０    駆動装置
１４０    洗濯機本体
１５０    筐体脚
１５１    台枠脚
１５２    台枠脚部弾性体
１５３    貫通孔嵌合部
１５４    テーパー部
１５５    垂直面部
１５６    貫通孔
１５７    貫通孔弾性体
１５８    キャスター
１５９    昇降装置
１６０    溝
１６１    スロープ板（回動可能部）
【図１】
2019138980.tif 000003
【図２】
2019138980.tif 000004
【図３】
2019138980.tif 000005
【図４】
2019138980.tif 000006
【図５】
2019138980.tif 000007
【図６】
2019138980.tif 000008
【図７】
2019138980.tif 000009
【図８】
2019138980.tif 000010
【国際調査報告】
2019138980.tif 000011
2019138980.tif 000012
2019138980.tif 000013
2019138980.tif 000014
2019138980.tif 000015
2019138980.tif 000016
2019138980.tif 000017
2019138980.tif 000018